(57)【要約】【課題】読み取った画像データを迅速に表示確認できるようにした画像読取送信装置を提供する。【解決手段】画像読取装置１０７が画像の読み取りを行い、入力装置１０４が、画像読取手段１０７によって読み取られた画像データを他装置に送信する前に該画像データを確認のため表示すべき旨の指示を受け取る。中央処理装置１０１は、入力装置１０４によって前記指示を受け取っているか否かに拘わらず、画像読取装置１０７によって読み取られた画像データに基づき、画像確認用表示データを生成する。【選択図】      図１
2004343226.tif 000002
【特許請求の範囲】
【請求項１】
画像を読み取り、他装置に送信する画像読取送信装置において、
画像の読み取りを行う画像読取手段と、
前記画像読取手段によって読み取られた画像データを他装置に送信する前に該画像データを確認のため表示すべき旨の指示を受け取る受取手段と、
前記受取手段によって前記指示を受け取っているか否かに拘わらず、前記画像読取手段によって読み取られた画像データに基づき、画像確認用表示データを生成する生成手段と
を有することを特徴とする画像読取送信装置。
【発明の詳細な説明】
【０００１】
【発明の属する技術分野】
本発明は、画像読取送信装置に関し、特に、画像を読み取り、他装置に送信する画像読取送信装置に関する。
【０００２】
上記画像読取送信装置は例えば、複写機、ファクシミリ装置、スキャナなどを構成する。
【０００３】
【従来の技術】
画像を読み取り、他の装置に送信する画像読取送信装置において、送信する前に読み取った画像を確認したい場合、第１の従来技術では、読み取った画像を表示装置の分解能、画像構成、色表現能力などの表示能力に合わせるための分解能変換、画像構成変換、色変換など変換処理を行い、変換後の画像データを表示装置に転送することにより確認が行えるようにしていた。（例えば、特許文献１参照）。
【０００４】
また、第２の従来技術では２度の読み取りを行い、１回目の読み取りで表示装置の表示能力に応じた画像を生成して表示装置に転送し表示させ、２回目の読み取りで送信用の画像データを生成していた。（例えば、特許文献２参照）。
【０００５】
なお、読み取った画像データを送信する宛先が記憶装置であり、該画像データを記憶装置へ蓄積する場合でも、蓄積された画像データを表示確認するには、第１の従来技術または第２の従来技術が同様に適用されていた。
【０００６】
【特許文献１】
特開平３−２４５６７７号公報
【特許文献２】
特開平９−１０２８４６号公報
【０００７】
【発明が解決しようとする課題】
しかしながら、上記第１の従来技術では、処理時間が長くかかる画像変換処理を表示確認時に行わなければならず、画像を確認するまでに待ち時間が必要となり、これを避けたいという要請があった。
【０００８】
また、上記第２の従来技術でも、読み取り処理を２度も行わなければならず、時間のかかる読み取り処理を２度行うことは、確認を行いたい操作者を長く待たされることになっていた。
【０００９】
本発明はこのような問題点に鑑みてなされたものであって、読み取った画像データを迅速に表示確認できるようにした画像読取送信装置を提供することを目的とする。
【００１０】
【課題を解決するための手段】
上記目的を達成するために、本発明によれば、画像を読み取り、他装置に送信する画像読取送信装置において、画像の読み取りを行う画像読取手段と、前記画像読取手段によって読み取られた画像データを他装置に送信する前に該画像データを確認のため表示すべき旨の指示を受け取る受取手段と、前記受取手段によって前記指示を受け取っているか否かに拘わらず、前記画像読取手段によって読み取られた画像データに基づき、画像確認用表示データを生成する生成手段とを有することを特徴とする画像読取送信装置が提供される。
【００１１】
【発明の実施の形態】
以下、本発明の実施の形態を、図面を参照して説明する。
【００１２】
［第１の実施の形態］
図１は、本発明に係る画像読取送信装置を含むネットワークシステムの第１の実施の形態の構成を示すブロック図である。
【００１３】
このネットワークシステムは、ネットワーク３を介して接続された画像読取送信装置１とデータベースサーバ２とから構成される。
【００１４】
画像読取送信装置１はその主要部が、中央処理装置１０１、主記憶装置１０２、表示装置１０３、入力装置１０４、外部記憶装置１０５、印刷装置１０６、画像読取装置１０７、ネットワーク装置１０８から構成される。
【００１５】
中央処理装置１０１は、主記憶装置１０２、表示装置１０３、入力装置１０４、外部記憶装置１０５、印刷装置１０６、画像読取装置１０７、ネットワーク装置１０８を制御し、また四則演算、論理演算を行う。
【００１６】
主記憶装置１０２は、この画像読取送信装置１が情報処理を行なう上で必要な情報を記憶し、必要に応じてこの情報が読み出される。
【００１７】
表示装置１０３は、画像読取送信装置１で情報処理が行われた結果得られた図形や文字等を表示する装置であり、タッチパネルディスプレイで構成される。
【００１８】
入力装置１０４は、中央処理装置１０１へ種々の信号入力を行なうための装置であり、キーボード、タッチパネルで構成される。
【００１９】
外部記憶装置１０５は、各種情報を記憶する装置であり、磁気記憶装置や光磁気記憶装置等で構成される。この外部記憶装置１０５は、画像読取装置１０７が読み取った画像データを保存する。
【００２０】
データベースサーバ２はその主要部が、中央処理装置２０１、ネットワーク装置２０２、外部記憶装置２０３から構成される。データベースサーバ２は、画像ページデータ群を文書として記憶管理するとともに、文書の各画像ページデータに対応する画像確認表示用データを記憶管理する。文書読み出しクライアントからの要求に応じて、画像ページデータ及び画像確認表示用データのうち一方が該クライアントにダウンロードされる。
【００２１】
ネットワーク３を介してデータベースサーバ２に接続された画像読取送信装置１は、読み取った画像ページデータ群をデータベースサーバ２に対して文書として登録することができる。
【００２２】
ネットワーク３は、Ｅｔｈｅｒｎｅｔ（登録商標）やＵＳＢ（Ｕｎｉｖｅｒｓａｌ  Ｓｅｒｉａｌ  Ｂｕｓ）で構成される。なお、画像読取送信装置１とデータベースサーバ２とがシリアル接続またはパラレル接続で接続されるようにしてもよい。
【００２３】
画像読取送信装置１の表示装置１０３には、画像の読み取り、確認のための表示、蓄積、送信を指示ための指示入力画面が表示される。
【００２４】
図２は、画像読取送信装置１の表示装置１０３に表示される指示入力画面を示す図である。表示装置１０３は前述したように、タッチパネルディスプレイにより構成される。
【００２５】
この指示入力画面において、プレビュー指示ボタン２０１を押下すると、画像読み取り後に読み取り画像の確認のための表示が行われる。送信宛先入力フィールド２０５には入力装置１０４から入力された文字列が表示される。宛先種類選択ボタン２０４のいずれか１つを押下すると、送信宛先入力フィールド２０５に入力表示されている文字列が、この押下されたボタンが示す種類の宛先として、宛先フィールド２０２に追加表示される。宛先「ｅｍａｉｌ」は電子メールのアドレスを示し、宛先「ＤＢ」はデータベースサーバ２のＭＡＣアドレスを、宛先「ＦＡＸ」はファクシミリ装置の電話番号を示す。スキャン送信開始ボタン２０３を押下すると、画像読取装置１０７で画像の読み取り（スキャン）が行われ、得られた画像データが外部記憶装置１０５に蓄積されるとともに、蓄積された画像データが、宛先フィールド２０２に表示されている宛先（ただし「ＢＯＸ」を除く）に送信される。
【００２６】
なお、宛先種類の１つである「ＢＯＸ」は、画像読取送信装置１の外部記憶装置１０５に区画される複数の画像データ記憶領域を示し、「ＢＯＸ」の後に続く番号が上記領域の１つを表す。「ＢＯＸ」で示される複数の画像データ記憶領域に記憶された画像データは、操作者の指示により削除されるまではいつでも表示装置１０３に表示して閲覧することが可能であり、また印刷装置１０６に印刷させることも可能である。
【００２７】
図３は、画像読取送信装置１で行われる画像の読み取り処理及び読み取り画像確認用データの生成処理の手順を示すフローチャートである。
【００２８】
ステップＳ３０１で、画像読み取り指示が入力されたか否かを判断し、入力されていればステップＳ３０２へ移行し、入力されていなければステップＳ３０１を再度実行する。
【００２９】
ステップＳ３０２では、画像読取装置１０７で画像を１ページ分読み取る。次にステップＳ３０３で、画像確認用表示データの生成指示（図４を参照して後述）が入力されたか否かを判断し、入力されていればステップＳ３０４へ移行し、入力されていなければステップＳ３０４をスキップしてステップＳ３０５に移行する。ステップＳ３０４では、ステップＳ３０２で読み取られた１ページ分の画像データを基に画像確認表示用データを生成する。
【００３０】
ステップＳ３０５で、画像読取装置１０７によって画像が最終ページまで読み取られたか否かを判断し、読み取られていなければ残りのページを読み取るべくステップＳ３０２に処理を戻し、最終ページまで読み取られていれば処理を終了する。
【００３１】
図４は、指示入力画面に入力された指示に従い、画像読取送信装置１で行われる画像の読み取り、確認のための表示、蓄積、送信の各処理の手順を示すフローチャートである。
【００３２】
ステップＳ４０１では、図２に示す指示入力画面におけるスキャン送信開始ボタン２０３の押下があったか否かを判断し、押下があったならばステップＳ４０２へ移行し、なければステップＳ４０１に戻り、スキャン送信開始ボタン２０３の押下待ちとなる。
【００３３】
次にステップＳ４０２で、図２に示すプレビュー指示ボタン２０１の押下があったか否かを判断し、押下があったならばステップＳ４０６へ進み、なければステップＳ４０３へ進む。ステップＳ４０３では、宛先フィールド２０２に宛先として「ＢＯＸ」が含まれるか否かを判断し、含まれるならばステップＳ４０５へ進み、含まれないならばステップＳ４０４へ進む。
【００３４】
ステップＳ４０４では、図３に示す処理を画像確認用表示データ生成指示無し（Ｓ３０３でＮＯ）で実行し、送信用画像データのみを生成し、次のステップＳ４１０で、ステップＳ４０４で生成された送信用画像データを画像確認用表示データ無しで「ＢＯＸ」宛先に送信して格納する。
【００３５】
ステップＳ４０５では、図３に示す処理を画像確認用表示データ生成指示有り（Ｓ３０３でＹＥＳ）で実行し、送信用画像データと画像確認用表示データとを生成し、次のステップＳ４０９で、画像確認用表示データとともに送信用画像データを「ＢＯＸ」宛先に送信して格納する。このように、ステップＳ４０９により、「ＢＯＸ」宛先である外部記憶装置１０５の画像データ記憶領域に、画像確認用表示データとともに送信用画像データが蓄積される。これによって、この送信用画像データおよび画像確認用表示データが削除されない限り、操作者は何度も、外部記憶装置１０５から送信用画像データを読み出して別の宛先へ送信したり、画像確認用表示データによる画像確認を行ったりすることができる。また、操作者が送信用画像データを確認したい旨の指示を行っていない場合でも、画像確認用表示データを外部記憶装置１０５に保存しておき、後に操作者が送信用画像データの確認をしたくなっても、画像確認用表示データを作成するための待ち時間によるストレスを感じることなく、送信用画像データの確認を即座に行うことができ、操作性が格段に向上する。
【００３６】
ステップＳ４０６では、図３に示す処理を画像確認用表示データ生成指示有り（Ｓ３０３でＹＥＳ）で実行し、送信用画像データと画像確認用表示データとを生成し、次のステップＳ４０７で、表示装置１０３に画像確認用表示データに基づく表示を行う。このステップＳ５０７の実行では、画像確認用表示データが既に作成されているので、操作者は、送信用画像データの送信前に、送信画像を即座に確認することができる。
【００３７】
ステップＳ４０８では、送信画像確認後、送信用画像データを送信するか否かを操作者の指示により判断し、送信するならばステップＳ４０９へ進み、送信しないならば本処理を終了する。
【００３８】
ステップＳ４１１では、送信用画像データを外部記憶装置１０５から読み出して、画像確認用表示データ無しで、「ＢＯＸ」以外の宛先へ送信し、本処理を終了する。
【００３９】
［第２の実施の形態］
次に第２の実施の形態を説明する。
【００４０】
第２の実施の形態の構成は、基本的に第１の実施の形態の構成と同じであるので、第２の実施の形態の説明においては、第１の実施の形態の構成を流用する。
【００４１】
第２の実施の形態では、画像読取送信装置１で行われる画像の読み取り、確認のための表示、蓄積、送信の各処理の手順が、第１の実施の形態とは異なる。
【００４２】
図５は、第２の実施の形態において実行される、指示入力画面に入力された指示に従い、画像読取送信装置１で行われる画像の読み取り、確認のための表示、蓄積、送信の各処理の手順を示すフローチャートである。
【００４３】
ステップＳ５０１では、図２に示す指示入力画面におけるスキャン送信開始ボタン２０３の押下があったか否かを判断し、押下があったならばステップＳ５０２へ移行し、なければステップＳ５０１に戻り、スキャン送信開始ボタン２０３の押下待ちとなる。
【００４４】
次にステップＳ５０２で、図２に示すプレビュー指示ボタン２０１の押下があったか否かを判断し、押下があったならばステップＳ５０６へ進み、なければステップＳ５０３へ進む。ステップＳ５０３では、宛先フィールド２０２に宛先として「ＢＯＸ」または「ＤＢ」が含まれるか否かを判断し、含まれるならばステップＳ５０５へ進み、含まれないならばステップＳ５０４へ進む。
【００４５】
ステップＳ５０４では、図３に示す処理を画像確認用表示データ生成指示無し（Ｓ３０３でＮＯ）で実行し、送信用画像データのみを生成し、次のステップＳ５１０で、ステップＳ５０４で生成された送信用画像データを画像確認用表示データ無しで「ＢＯＸ」宛先及び「ＤＢ」宛先に送信して格納する。
【００４６】
ステップＳ５０５では、図３に示す処理を画像確認用表示データ生成指示有り（Ｓ３０３でＹＥＳ）で実行し、送信用画像データと画像確認用表示データとを生成し、次のステップＳ５０９で、画像確認用表示データとともに送信用画像データを「ＢＯＸ」宛先及び「ＤＢ」宛先に送信して格納する。このように、ステップＳ５０９により、「ＢＯＸ」宛先である外部記憶装置１０５の画像データ記憶領域とデータベースサーバ２とに、画像確認用表示データとともに送信用画像データが蓄積される。これによって、この送信用画像データおよび画像確認用表示データが削除されない限り、操作者は何度も、外部記憶装置１０５またはデータベースサーバ２から送信用画像データを読み出して別の宛先へ送信したり、画像確認用表示データによる画像確認を行ったりすることができる。また、操作者が送信用画像データを確認したい旨の指示を行っていない場合でも、画像確認用表示データを外部記憶装置１０５及びデータベースサーバ２に保存しておき、後に操作者が送信用画像データの確認をしたくなっても、画像確認用表示データを作成するための待ち時間によるストレスを感じることなく、送信用画像データの確認を即座に行うことができ、操作性が格段に向上する。
【００４７】
ステップＳ５０６では、図３に示す処理を画像確認用表示データ生成指示有り（Ｓ３０３でＹＥＳ）で実行し、送信用画像データと画像確認用表示データとを生成し、次のステップＳ５０７で、表示装置１０３に画像確認用表示データに基づく表示を行う。このステップＳ５０７の実行では、画像確認用表示データが既に作成されているので、操作者は、送信用画像データの送信前に、送信画像を即座に確認することができる。
【００４８】
ステップＳ５０８では、送信画像確認後、送信用画像データを送信するか否かを操作者の指示により判断し、送信するならばステップＳ５０９へ進み、送信しないならば本処理を終了する。
【００４９】
ステップＳ５１１では、送信用画像データを外部記憶装置１０５から読み出して、画像確認用表示データ無しで、「ＢＯＸ」及び「ＤＢ」以外の宛先へ送信し、本処理を終了する。
【００５０】
［他の実施の形態］
なお、本発明の目的は、前述の各実施の形態の機能を実現するソフトウェアのプログラムコードを記録した記憶媒体を、システムまたは装置に供給し、そのシステムまたは装置のコンピュータ（またはＣＰＵ、ＭＰＵ等）が記憶媒体に格納されたプログラムコードを読み出して実行することによっても達成される。
【００５１】
この場合、記憶媒体から読み出されたプログラムコード自体が前述した各実施の形態の機能を実現することになり、そのプログラムコードを記憶した記憶媒体は本発明を構成することになる。
【００５２】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等を用いることができる。
【００５３】
また、コンピュータが読み出したプログラムコードを実行することにより、上記の各実施の形態の機能が実現されるだけでなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５４】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した各実施の形態の機能が実現される場合も含まれる。
【００５５】
以上のように、本発明の各種の実施の形態を示して説明したが、以下に本発明の実施態様の例を列挙する。
【００５６】
〔実施態様１〕  画像を読み取り、他装置に送信する画像読取送信装置において、
画像の読み取りを行う画像読取手段と、
前記画像読取手段によって読み取られた画像データを他装置に送信する前に該画像データを確認のため表示すべき旨の指示を受け取る受取手段と、
前記受取手段によって前記指示を受け取っているか否かに拘わらず、前記画像読取手段によって読み取られた画像データに基づき、画像確認用表示データを生成する生成手段と
を有することを特徴とする画像読取送信装置。
【００５７】
〔実施態様２〕  前記生成手段が生成した画像確認用表示データを記憶装置に格納する格納手段と、
前記受取手段によって前記指示を受け取っているとき、前記記憶装置から前記画像確認用表示データを読み出して表示装置に表示させる表示制御手段と
を更に有することを特徴とする実施態様１に記載の画像読取送信装置。
【００５８】
〔実施態様３〕  前記記憶装置は、前記画像読取送信装置内に設けられることを特徴とする実施態様２に記載の画像読取送信装置。
【００５９】
〔実施態様４〕  前記記憶装置は、前記画像読取送信装置に通信回線によって接続された装置内に設けられることを特徴とする実施態様２に記載の画像読取送信装置。
【００６０】
〔実施態様５〕  前記格納手段は、前記画像読取手段によって読み取られた画像データを前記画像確認用表示データとともに前記記憶装置に格納し、
前記画像読取送信装置は、前記記憶装置に格納された画像データを読み出して他装置に送信する送信手段を更に有することを特徴とする実施態様２に記載の画像読取送信装置。
【００６１】
〔実施態様６〕  前記生成手段は、前記記憶装置に格納された画像データが前記送信手段によって送信されるべき宛先に前記記憶装置が含まれない場合は、前記画像確認用表示データを生成しないことを特徴とする実施態様５に記載の画像読取送信装置。
【００６２】
〔実施態様７〕  画像を読み取り、他装置に送信する画像読取送信装置に適用される画像確認用データ生成方法において、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とする画像確認用データ生成方法。
【００６３】
〔実施態様８〕  前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする実施態様７に記載の画像確認用データ生成方法。
【００６４】
〔実施態様９〕  前記記憶装置は、前記画像読取送信装置内に設けられることを特徴とする実施態様８に記載の画像確認用データ生成方法。
【００６５】
〔実施態様１０〕  前記記憶装置は、前記画像読取送信装置に通信回線によって接続された装置内に設けられることを特徴とする実施態様８に記載の画像確認用データ生成方法。
【００６６】
〔実施態様１１〕  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする実施態様８に記載の画像確認用データ生成方法。
【００６７】
〔実施態様１２〕  前記生成ステップは、前記記憶装置に格納された画像データが前記送信ステップによって送信されるべき宛先に前記記憶装置が含まれない場合は、前記画像確認用表示データを生成しないことを特徴とする実施態様１１に記載の画像確認用データ生成方法。
【００６８】
〔実施態様１３〕  画像を読み取り、他装置に送信する画像読取送信装置に適用される画像確認用データ生成方法を、コンピュータに実行させるためのプログラムにおいて、
前記画像確認用データ生成方法が、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とするプログラム。
【００６９】
〔実施態様１４〕  前記画像確認用データ生成方法が、
前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする実施態様１３に記載のプログラム。
【００７０】
〔実施態様１５〕  前記記憶装置は、前記画像読取送信装置内に設けられることを特徴とする実施態様１４に記載のプログラム。
【００７１】
〔実施態様１６〕  前記記憶装置は、前記画像読取送信装置に通信回線によって接続された装置内に設けられることを特徴とする実施態様１４に記載のプログラム。
【００７２】
〔実施態様１７〕  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする実施態様１４に記載のプログラム。
【００７３】
〔実施態様１８〕  前記生成ステップは、前記記憶装置に格納された画像データが前記送信ステップによって送信されるべき宛先に前記記憶装置が含まれない場合は、前記画像確認用表示データを生成しないことを特徴とする実施態様１７に記載のプログラム。
【００７４】
〔実施態様１９〕  画像を読み取り、他装置に送信する画像読取送信装置に適用される画像確認用データ生成方法をプログラムとして記憶した、コンピュータにより読み出し可能な記憶媒体において、
前記画像確認用データ生成方法が、
画像の読み取りを行う画像読取ステップと、
前記画像読取ステップによって読み取られた画像データを他装置に送信する前に該画像データを確認のため表示すべき旨の指示を受け取る受取ステップと、
前記受取ステップによって前記指示を受け取っているか否かに拘わらず、前記画像読取ステップによって読み取られた画像データに基づき、画像確認用表示データを生成する生成ステップと
を有することを特徴とする記憶媒体。
【００７５】
〔実施態様２０〕  前記画像確認用データ生成方法が、
前記生成ステップによって生成された画像確認用表示データを記憶装置に格納する格納ステップと、
前記受取ステップによって前記指示が受け取られているとき、前記記憶装置から前記画像確認用表示データを読み出して表示装置に表示させる表示制御ステップと
を更に有することを特徴とする実施態様１９に記載の記憶媒体。
【００７６】
〔実施態様２１〕  前記記憶装置は、前記画像読取送信装置内に設けられることを特徴とする実施態様２０に記載の記憶媒体。
【００７７】
〔実施態様２２〕  前記記憶装置は、前記画像読取送信装置に通信回線によって接続された装置内に設けられることを特徴とする実施態様２０に記載の記憶媒体。
【００７８】
〔実施態様２３〕  前記格納ステップは、前記画像読取ステップによって読み取られた画像データを前記画像確認用表示データとともに前記記憶装置に格納し、
前記画像確認用データ生成方法は、前記記憶装置に格納された画像データを読み出して他装置に送信する送信ステップを更に有することを特徴とする実施態様２０に記載の記憶媒体。
【００７９】
〔実施態様２４〕  前記生成ステップは、前記記憶装置に格納された画像データが前記送信ステップによって送信されるべき宛先に前記記憶装置が含まれない場合は、前記画像確認用表示データを生成しないことを特徴とする実施態様２３に記載の記憶媒体。
【００８０】
【発明の効果】
以上詳述したように本発明によれば、読み取られた画像データを他装置に送信する前に該画像データを確認のため表示すべき旨の指示を受け取っているか否かに拘わらず、読み取られた画像データに基づき、画像確認用表示データを生成し、記憶装置に格納する。前記指示を受け取っているとき、または後刻、前記指示を受け取ると、前記記憶装置から前記画像確認用表示データを読み出して表示装置に表示させる。
【００８１】
これにより、読み取った画像データが即座に表示装置に表示され、迅速に画像データを確認することができる。
【図面の簡単な説明】
【図１】本発明に係る画像読取送信装置を含むネットワークシステムの第１の実施の形態の構成を示すブロック図である。
【図２】画像読取送信装置の表示装置に表示される指示入力画面を示す図である。
【図３】画像読取送信装置で行われる画像の読み取り処理及び読み取り画像確認用データの生成処理の手順を示すフローチャートである。
【図４】指示入力画面に入力された指示に従い、画像読取送信装置で行われる画像の読み取り、確認のための表示、蓄積、送信の各処理の手順を示すフローチャートである。
【図５】第２の実施の形態において実行される、指示入力画面に入力された指示に従い、画像読取送信装置で行われる画像の読み取り、確認のための表示、蓄積、送信の各処理の手順を示すフローチャートである。
【符号の説明】
１  画像読取送信装置
２  データベースサーバ
３  ネットワーク
１０１  中央処理装置（生成手段）
１０２  主記憶装置
１０３  表示装置
１０４  入力装置（受取手段）
１０５  外部記憶装置
１０６  印刷装置
１０７  画像読取装置（画像読取手段）
１０８  ネットワーク装置
２０１  中央処理装置
２０２  ネットワーク装置
２０３  外部記憶装置
【図１】
2004343226.tif 000003
【図２】
2004343226.tif 000004
【図３】
2004343226.tif 000005
【図４】
2004343226.tif 000006
【図５】
2004343226.tif 000007